(57)【要約】【課題】  毛髪束の全体に亘って均一に且つ確実に処理剤を浸透させることができ、施術時間を短くでき、また消費電力を低減できる超音波毛髪処理装置を提供する。【解決手段】  超音波振動を発生する振動子７を具備する振動部５と、振動部５に対向する受け部６を備え、振動部５と受け部６で毛髪束Ｈを挟み込んで、振動子７の超音波振動を毛髪に伝達する超音波毛髪処理装置１である。振動子７として矩形板状の振動子７を備える。振動子７の厚み方向ハの一方の面を振動面７ａとする。振動面７ａを共振点Ａが格子点状の多点に位置するように振動するものとする。【選択図】        図１
2006334110.tif 000002
【特許請求の範囲】
【請求項１】
超音波振動を発生する振動子を具備する振動部と、振動部に対向する受け部を備え、振動部と受け部で毛髪を挟み込んで、振動子の超音波振動を毛髪に伝達する超音波毛髪処理装置であって、前記振動子として矩形板状の振動子を備え、該矩形板状の振動子の厚み方向の一方の面を振動面とし、該振動面を共振点が格子点状の多点に位置するように振動するものとすることを特徴とする超音波毛髪処理装置。
【請求項２】
一対の長尺な挟み部材の一端部同士を回動自在に連結すると共に、該一対の挟み部材の対向面の内、一方の対向面に上記矩形板状の振動子を具備する振動部を設けると共に他方の対向面に受け部を設け、振動子を上記振動面の一辺を挟み部材の長手方向に対して傾斜させて配設したことを特徴とする請求項１に記載の超音波毛髪処理装置。
【請求項３】
上記矩形板状の振動子を具備する振動部と受け部を隣接する振動部が非接触となるように複数組並設し、少なくとも一つの組の振動部と受け部の位置関係を他の組と逆にしたことを特徴とする請求項１又は請求項２に記載の超音波毛髪処理装置。
【請求項４】
上記異なる組の振動部の振動子を交互に発振させる制御部を設けたことを特徴とする請求項３に記載の超音波毛髪処理装置。
【請求項５】
一対の長尺な挟み部材の一端部同士を回動自在に連結すると共に、該一対の挟み部材の対向面の内、一方の対向面に上記矩形板状の振動子を具備する振動部を設けると共に他方の対向面に受け部を設け、両挟み部材の対向面の内、いずれか一方の対向面を一方対向面とすると共に他方の対向面を他方対向面とし、一方対向面の挟み部材の長手方向に間隔を離した２箇所に他方対向面側に突出するガイド凸部を夫々設け、他方対向面の挟み部材の長手方向に間隔を介した２箇所に各ガイド凸部を嵌め込み可能とする嵌め込み凹部を夫々設けたことを特徴とする請求項１〜４のいずれかに記載の超音波毛髪処理装置。
【請求項６】
上記振動部に矩形板状の振動子を厚み方向に複数枚重ねて設けたことを特徴とする請求項１〜５のいずれかに記載の超音波毛髪処理装置。
【発明の詳細な説明】
【技術分野】
【０００１】
本発明は振動部と受け部で毛髪を挟み込んで、振動部が具備する振動子の超音波振動を毛髪に伝達させる超音波毛髪処理装置に関するもので、詳しくは処理剤を塗布した後、振動部及び受け部で毛髪を挟み込んで、超音波振動により毛髪への処理剤の浸透を促進させる処理剤浸透装置として用いられる超音波毛髪処理装置である。
【背景技術】
【０００２】
従来のヘアースタイリング装置には、電気信号を機械振動に変換する振動子を備えて、振動子で発生した超音波振動を毛髪や処理剤に与えて毛髪への処理剤の浸透を促進するようにした超音波毛髪処理装置がある（例えば、特許文献１参照）。
【０００３】
またこの超音波毛髪処理装置には、一対の挟み部材の端部同士を回動自在に連結して成る毛髪処理装置に振動子を設け、挟み部材で挟み込みながら毛髪及び毛髪に塗布された処理剤に超音波振動を与え、毛髪への処理剤の浸透を促進させるようにしたものがあり、このものは例えばストレートパーマ等に利用されている。
【０００４】
この毛髪処理装置には、一対の挟み部材の対向面の一方に円盤状の振動子を具備する振動部を設け、他方に前記振動部に対向する受け部を設けたものがあり、このものは挟み部材を回動して振動部及び受け部間に処理剤を塗布した毛髪束を挟み込み、この状態で振動部にて毛髪束及び処理剤に円盤状の振動子の厚み方向の超音波振動を毛髪に伝達、放射することで、毛髪への処理剤の浸透を促進させるものであり、振動部及び受け部で毛髪束を挟み込みながら毛髪束の長さ方向（伸びる方向）にスライドさせる等して、円盤状の振動子から毛髪束に超音波振動を与えることで、毛髪束の長さ方向の全体に亘って処理剤を浸透させることができるようになっている。
【０００５】
ところで上記超音波毛髪処理装置における振動子は円盤状のものであるため、その厚み方向における振幅は中心が最も大きく径方向外側程振幅が小さい。つまりこの円盤状の振動子の共振点（厚み方向の振幅が最大となる最大振幅点）は中心の１点のみであるので、円盤状の振動子の中心部分においては毛髪及び処理剤を振動させることができるものの、周部においては殆ど振動させることができず、このため毛髪束の幅方向の全体に亘って均一に処理剤を浸透させることができないし、また円盤状の振動子の周部（特に毛髪束の長さ方向と直交する幅方向の両端部）においては充分な量の処理剤を浸透させることができず、このため施術時間が長くなってしまう。
【特許文献１】特開平９−２６２１２０号公報
【発明の開示】
【発明が解決しようとする課題】
【０００６】
本発明は上記従来の問題点に鑑みて発明したものであって、毛髪束の全体に亘って均一に且つ確実に処理剤を浸透させることができ、施術時間を短くでき、また消費電力を低減できる超音波毛髪処理装置を提供することを課題とするものである。
【課題を解決するための手段】
【０００７】
上記課題を解決するために本発明に係る超音波毛髪処理装置は、超音波振動を発生する振動子７を具備する振動部５と、振動部５に対向する受け部６を備え、振動部５と受け部６で毛髪を挟み込んで、振動子７の超音波振動を毛髪に伝達する超音波毛髪処理装置１であって、前記振動子７として矩形板状の振動子７を備え、該矩形板状の振動子７の厚み方向（ハ）の一方の面を振動面７ａとし、該振動面７ａを共振点Ａが格子点状の多点に位置するように振動するものとすることを特徴とするものである。この構成により、振動子７の振動面７ａを略全部に亘って均一に振動させることができ、これにより振動部５と受け部６間に挟まれた毛髪束Ｈ及び処理剤を振動子７によって均一に且つ確実に振動させることができる。
【０００８】
また一対の長尺な挟み部材２ａ、２ｂの一端部同士を回動自在に連結すると共に、該一対の挟み部材２ａ、２ｂの対向面４ａ、４ｂの内、一方の対向面４ｂに上記矩形板状の振動子７を具備する振動部５を設けると共に他方の対向面４ａに受け部６を設け、振動子７を上記振動面７ａの一辺７ｂを挟み部材２ａ、２ｂの長手方向（ロ）に対して傾斜させて配設することも好ましい。この構成により一対の挟み部材２ａ、２ｂを挟み部材２ａ、２ｂの長手方向（ロ）が毛髪束Ｈの長さ方向に略直交するように配置して、この一対の挟み部材２ａ、２ｂの対向面４ａ、４ｂ同士を重ね合わせるように回動して振動部５と受け部６間に毛髪束Ｈを挟み込み、この状態で超音波振動を毛髪に伝達させることができる。そしてこの場合、振動面７ａの一辺７ｂを挟み部材２ａ、２ｂの長手方向（ロ）と平行としたものと比較して、挟み部材２ａ、２ｂの長手方向（ロ）（毛髪束Ｈの幅方向（ヘ））における単位長さ当たりに存在する共振点Ａの数を増加させることができ、これにより毛髪束Ｈ及び処理剤に充分な超音波振動を与えることができ、毛髪への処理剤の浸透を一層促進できる。
【０００９】
また上記矩形板状の振動子７を具備する振動部５と受け部６を隣接する振動部５が非接触となるように複数組１３、１４並設し、少なくとも一つの組１３の振動部５と受け部６の位置関係を他の組１４と逆にすることも好ましい。この場合、毛髪束Ｈの表裏面両側から振動子７の超音波振動を与えることができ、毛髪への処理剤の浸透を一層促進できる。
【００１０】
また上記異なる組１３、１４の振動部５の振動子７を交互に発振させる制御部を設けることも好ましい。この場合、全ての振動子７に供給する電力を抑えることができ、電源の負担を軽減できる。
【００１１】
また一対の長尺な挟み部材２ａ、２ｂの一端部同士を回動自在に連結すると共に、該一対の挟み部材２ａ、２ｂの対向面４ａ、４ｂの内、一方の対向面４ａに上記矩形板状の振動子７を具備する振動部５を設けると共に他方の対向面４ｂに受け部６を設け、両挟み部材２ａ、２ｂの対向面４ａ、４ｂの内、いずれか一方の対向面を一方対向面４ａとすると共に他方の対向面を他方対向面４ｂとし、一方対向面４ａの挟み部材２ａ、２ｂの長手方向（ロ）に間隔を離した２箇所に他方対向面４ｂ側に突出するガイド凸部１６を夫々設け、他方対向面４ｂの挟み部材２ａ、２ｂの長手方向（ロ）に間隔を介した２箇所に各ガイド凸部１６を嵌め込み可能とする嵌め込み凹部１７を夫々設けることも好ましい。この構成により一対の挟み部材２ａ、２ｂを挟み部材２ａ、２ｂの長手方向（ロ）が毛髪束Ｈの長さ方向に略直交するように配置して、この一対の挟み部材２ａ、２ｂの対向面４ａ、４ｂ同士を重ね合わせるように回動して振動部５と受け部６間に毛髪束Ｈを挟み込み、この状態で超音波振動を毛髪に伝達させることができ、またこの場合、両ガイド凸部１６を対応する嵌め込み凹部１７に嵌め込んで、振動部５と受け部６の間に毛髪を挟み込み、この状態で毛髪束Ｈ及び処理剤に超音波振動を与えることができ、これにより両ガイド凸部１６間に毛髪束Ｈを通過させ、両ガイド凸部１６により毛髪束Ｈの長さ方向に沿って超音波毛髪処理装置１がスムーズに移動するようにガイドでき、特にこの場合、ガイド凸部１６により毛髪束Ｈが振動子７の振動面７ａから外側に外れることを防止できる。
【００１２】
また上記振動部５に矩形板状の振動子７を厚み方向（ハ）に複数枚重ねて設けることも好ましい。発生する超音波出力の上限を上昇でき、またこの場合、振動子７の枚数によって超音波出力の上限を調節できる。
【発明の効果】
【００１３】
本発明では、振動子の振動面を略全部に亘って均一に振動させることができて、振動部と受け部間に挟まれた毛髪束及び処理剤を振動子によって均一に振動させることができるので、毛髪束の全体に亘って均一に且つ確実に処理剤を浸透させることができ、尚且つこの場合、施術時間を短くでき、また消費電力を低減できる。
【発明を実施するための最良の形態】
【００１４】
以下、本発明を添付図面に示す実施形態に基いて説明する。図１は本実施形態の一例の超音波毛髪処理装置１を示し、図２及び図３は超音波毛髪処理装置１の使用形態を示す。
【００１５】
図１のように超音波毛髪処理装置１は、互いに略重複するように重ね合わせ可能な一対の長尺な挟み部材２ａ、２ｂをその一端部同士をヒンジ部３を介して回動自在に連結してこて状としたものであり、この挟み部材２ａ、２ｂの回動軸方向は矢印イに示す長尺な挟み部材２ａ、２ｂの短手方向（幅方向）と平行となっている。
【００１６】
上記超音波毛髪処理装置１は、一方の挟み部材２ｂ（図１下側）を他方の挟み部材２ａ（図１上側）に対して回動することで、図３のように両挟み部材２ａ、２ｂのヒンジ部３とは反対側の端部にある対向面４ａ、４ｂ同士を対向させて当接した挟み込み状態としたり、対向面４ａ、４ｂ同士を離間させた非挟み込み状態としたりできるようになっている。なお本例では各挟み部材２ａ、２ｂの対向面４ａ、４ｂの両側（詳しくは後述する振動部５と受け部６の両側）にブリッスル９を挟み部材２ａ、２ｂの長手方向ロに多数設けている。
【００１７】
挟み部材２ｂの対向面４ｂには振動部５を設けてあり、この振動部５は超音波振動を発生する振動子７と、振動子７を接した状態で内蔵するヘッド８とで構成してある。
【００１８】
ヘッド８は矩形板状（詳しくは長方形板状）で例えば硬質材料（主にアルミ）からなり、挟み部材２ａの対向面４ａに対向する面には矩形状の凹部１０を形成している。
【００１９】
振動子７は図４に示すように矩形板状（詳しくは長方形板状）をしたもので、ヘッド８の凹部１０内に嵌め込まれた状態で固定され、図３の挟み込み状態において挟み部材２ａ、２ｂの対向面４ａ、４ｂと平行にしてある。振動子７の厚み方向（ハ）の一方の面は挟み部材２ａ側に露出しており、この露出した厚み方向（ハ）の一方の面が振動面７ａとなっている。
【００２０】
上記振動子７は図示しない電源部から電力が供給されるものであって、挟み部材２ｂに内蔵した駆動回路１１に電気的に接続してあり、更に駆動回路１１は制御回路１２に電気的に接続されて出力が制御回路１２によって制御されるようになっている。即ち制御回路１２により駆動回路１１を制御することで、振動子７に電流を流して超音波振動を発生できるようになっている。なおこの超音波振動は例えば５００ｋＨｚ〜１０ＭＨｚ、０．１〜５Ｗ／ｃｍ２の条件で発生させるものとする。
【００２１】
ここで上記振動子７は圧電縦効果の厚み方向振動モードを利用するものである。即ち振動子７に電流を流すと、図４（ａ）に示すように振動子７は厚み方向（ハ）と直交する面内で縦方向（ニ）及び横方向（ホ）に振動（伸縮）し、これら縦方向（ニ）及び横方向（ハ）の振動が干渉しあって厚み方向（ハ）に振動が発生するものであって、これにより矩形板状の振動子７の振動面７ａは図４（ｂ）に示すように共振点Ａ（厚み方向（ハ）の最大振幅点）が格子点状の多点に位置するように振動する。
【００２２】
また挟み部材２ａの対向面４ａには、ヘッド８の挟み部材２ａ側の面及び同面と面一となった振動子７の振動面７ａに対向する受け部６を設けている。受け部６の振動部５側の面はフラットな面となっている。なお受け部６の材料は、パーマネント等の毛髪の変形効果を高めたい場合は、振動部５と同様、硬質材料が好ましく、毛髪への処理剤の浸透の促進効果を高めたい場合は、軟質材料が好ましい。また本例ではヘッド８の挟み部材２ａ側の面及び同面と面一となった振動子７の振動面７ａ及びこれに対向する受け部６の面をフラットな面としたが、これに限定されるものはなく、例えばカーリングができるように円弧状等としても良い。
【００２３】
しかして例えば毛髪にパーマネント剤や、毛染め剤、トリートメント剤等からなる処理剤を塗布し、この後、図２のように両挟み部材２ａ、２ｂを挟み部材２ａ、２ｂの長手方向（ロ）が毛髪束Ｈの長さ方向（伸びる方向）に略直交するように配置して、図３のように対向面４ａ、４ｂ同士を重ね合わせるように回動して振動部５（詳しくは振動子７の振動面７ａ）と受け部６間に毛髪束Ｈを挟み込み、この状態で前述のように振動子７を超音波振動させることで、振動子７の超音波振動を毛髪束Ｈ及び処理剤に伝達できるようになっており、これにより毛髪への処理剤の浸透を促進できるようになっている。
【００２４】
そして本願にあっては、既述したように、振動子７は図４（ｂ）のように共振点Ａが厚み方向（ハ）から見て格子点状の多点に位置するように振動するものであるので、振動子７の振動面７ａを略全部に亘って均一に振動させることができ、毛髪束Ｈの幅方向の全体に亘って均一に且つ確実に処理剤を浸透させることができ、毛髪束Ｈの全体に亘って均一に且つ確実に処理剤を浸透させることができ、施術時間を短くでき、また消費電力を低減できる。また本願の振動子７は圧電縦効果の厚み方向振動モードを利用するものであるので、圧電横効果の厚み方向振動モード（即ち電流を流した際に振動子７を厚み方向（ハ）に振動（伸縮）させて、厚み方向（ハ）の振動を得るモード）を利用したものと比較して、超音波振動のエネルギー効率を高めることができ、消費電力を軽減できる。
【００２５】
ここで上記振動子７は図１のように振動面７ａの一辺７ｂを挟み部材２ｂの長手方向（ロ）に対して平行にしても良いが、図５に示すように振動面７ａの一辺７ｂを挟み部材２ｂの長手方向（ロ）に対して傾斜させることが好ましく、この場合の実施例を以下に示す。なお以下の説明では上記実施例と同一の構成については同一の番号を付与し、重複する説明は省略する。
【００２６】
図５の例では長方形板状のヘッド８の厚み方向の一方の面の一辺（例えば長辺）を挟み部材２ａ、２ｂの長手方向（ロ）に対して傾斜させており、これによりヘッド８に内蔵した矩形板状の振動子７の振動面７ａの一辺（例えば長辺７ｂ）を挟み部材２ｂの長手方向（ロ）に対して傾斜させている。
【００２７】
このように振動子７を振動面７ａの一辺７ｂを挟み部材２ｂの長手方向（ロ）（即ち毛髪束Ｈの長さ方向）に対して傾斜させて配設することで、挟み部材２ｂの長手方向（ロ）（毛髪束Ｈの幅方向へ）における単位長さ当たりに存在する共振点Ａの数を増加させることができ、これにより毛髪束Ｈ及処理剤に充分な超音波振動を与えることができ、毛髪への処理剤の浸透を一層促進でき、また特に振動部５及び受け部６で毛髪束Ｈを挟み込みながら、超音波毛髪処理装置１を毛髪束Ｈの長さ方向（伸びる方向）における基端側から先端側にスライド移動して使用する際に有効である。
【００２８】
なお上記振動子７の振動面７ａの一辺７ｂの「傾斜」とは、振動面７ａの一辺７ｂと挟み部材の長手方向（ロ）との内角が９０°未満とするものであり、９０°以上のものは含まないものとする。また本例のヘッド８は振動子７と同様挟み部材２ｂの長手方向（ロ）に対して傾斜しているが、ヘッド８は図５の破線で示すように一辺を挟み部材７ｂの長手方向ロと平行としても良く、また図示は省略するがヘッド８の平面形状は矩形以外の形状（例えば円盤状等）であっても良い。
【００２９】
次に更に他例の超音波毛髪処理装置を図６に示す。なお本例では、矩形板状の振動子７を具備する振動部５と受け部６を、隣接する振動部５が非接触となるように複数組並設し、少なくとも一つの組の振動部５と受け部６の位置関係を他の組と逆とした点に特徴があり、上記図１の実施例と同一の構成については同一の番号を付与し、重複する説明は省略する。
【００３０】
図６に示すように、挟み部材２ｂ、２ａの短手方向（イ）（即ち毛髪束Ｈの長さ方向）に振動部５及び受け部６からなる組を振動部５及び受け部６が接触しないように２組並べて設けてあり、一方の組１３（図中左側の組）にあっては、振動部５を挟み部材２ｂの対向面４ｂに設けると共に受け部６を挟み部材２ａの対向面２ａに設け、他方の組１４（図中右側の組）にあっては、振動部５を挟み部材２ａの対向面４ａに設けると共に受け部６の対向面４ｂを挟み部材２ｂに設けてあり、これにより一方の組１３の振動部５と受け部６の位置関係を他方の組１４と逆にしている。なお図６の矢印は、振動部５及び受け部６で毛髪束Ｈを挟み込みながら毛髪束Ｈの長さ方向（伸びる方向）における基端側から先端側にスライドさせる際の毛髪束Ｈのスライド移動方向である。
【００３１】
また本例の各振動部５は、挟み部材２ｂ（又は２ａ）に設けた矩形板状の振動子７と、振動子７の振動面７ａに片面が接触するように設けた板状のヘッド８とで構成してあり、ヘッド８の振動子７とは反対側の面を放射面１５としてあり、このものはヘッド８の放射面１５と該放射面１５に対向する受け部６とで毛髪束Ｈを挟み込んだ状態で、振動子７の振動をヘッド８により放射面１５から毛髪束Ｈ及び処理剤へ伝達、放射することで、毛髪束Ｈ及び処理剤を振動させるものである。つまり本例にあっては、振動子７を超音波振動した際に、ヘッド８の放射面１５が振動子７の振動面７ａと同様に共振点Ａが格子点状の多点に位置するように振動するものである。
【００３２】
上記各振動部５は夫々対応する駆動回路１１ａ、１１ｂに電気的に接続してあり、各駆動回路１１ａ、１１ｂは制御回路１２に接続している。制御回路１２は図７の各駆動回路１１ａ、１１ｂの出力を示すタイムチャートのように駆動回路１１ａ、１１ｂの運転時間及び停止時間を共にＴ１及びＴ２とし、この運転時間Ｔ１と停止時間Ｔ２との関係をＴ１≧Ｔ２としてあり、これにより駆動回路１１ａを運転して（出力をＨｉにする）、一方の組１３の振動子７を駆動（振動）している時は、駆動回路１１ｂを停止して（出力をＬｏにする）、他方の組１４の振動子７の振動を停止し、また逆に駆動回路１１ｂを運転して（出力をＨｉにする）、他方の組１４の振動子７を駆動（振動）している時は、駆動回路１１ａを停止して（出力をＬｏにする）、一方の組１３の振動子７の振動を停止するように制御し、両駆動回路１１ａ、１１ｂ及び両振動子７が同時に駆動しないようにしている。即ち本例では、制御回路１２及び駆動回路１１ａ、１１ｂが組１３、１４の振動部５の振動子７を交互に発振させる制御部となっている。
【００３３】
このように矩形板状の振動子７を具備する振動部５と受け部６を隣接する振動部５が非接触となるように複数組１３、１４並設し、少なくとも一つの組１３の振動部５と受け部６の位置関係を他の組１４と逆とすることで、毛髪束Ｈの表裏面両側から振動子７の超音波振動を与えることができ、毛髪への処理剤の浸透を一層促進できる。またこの場合、異なる組１３、１４の振動部５は挟み部材２ｂ、２ａの短手方向（イ）にずれてお互いに向き合わないように設置されているため、異なる振動部５の振動子７から発生する超音波振動が互いに打ち消し合わず、この点でも良い。また本例では２組１３、１４の振動部５の振動子７を交互に発振するようにしているので、供給電力を一つの振動子相当以下に抑えることができ、電源の負担を軽減できる。なお本例の各振動子７は図５の実施例と同様に振動面７ａの一辺７ｂを挟み部材２ｂの長手方向（ロ）に対して傾斜させても良いものとする。
【００３４】
また上記いずれの実施例における振動部５も上記したものに限定されず、図１の実施例のように振動子７の振動面７ａと受け部６で毛髪束Ｈを挟み込み、この挟み込んだ毛髪束Ｈ及び処理剤に振動子７の振動を直接伝達、放射するようにした振動部５、又は図６のようにヘッド８と受け部６で毛髪束Ｈを挟み込み、この挟み込んだ毛髪束Ｈ及び処理剤に振動子７の振動をヘッド８を介して伝達、放射するようにした振動部５、のどちらを用いても良い。
【００３５】
また上記各実施例では、図８のように一方の挟み部材２ａの対向面４ａの挟み部材２ａの長手方向（ロ）に間隔を離した２箇所に他方の挟み部材２ｂの対向面４ｂ側に突出するガイド凸部１６を夫々設け、尚且つ図９のように他方の挟み部材２ｂの対向面４ｂの挟み部材２ｂの長手方向（ロ）に間隔を介した２箇所に各ガイド凸部１６を嵌め込み可能とする嵌め込み凹部１７を夫々設けても良い。
【００３６】
図示例では一方対向面４ａのガイド凸部１６は、挟み部材２ｂの短手方向（イ）における両側端部の長手方向（ロ）に間隔を介した２箇所、計４箇所に設けてあり、他方対向面４ａの嵌め込み凹部１７は、挟み部材２ａの短手方向（イ）における両側端部の長手方向（ロ）に間隔を介した２箇所、計４箇所に設けてある。なお図示は省略してあるが、各ガイド凸部１６及び嵌め込み凹部１７は、挟み部材２ａ、２ｂの長手方向（ロ）において振動子７又は受け部６の両側端部又は両側端部よりもやや外側に離れた部分と重複する位置に設けてあるものとする。
【００３７】
これにより各ガイド凸部１６を対応する嵌め込み凹部１７に嵌め込んで、振動部５と受け部６の間に毛髪束Ｈを挟み込み、この状態で毛髪束Ｈ及び処理剤に振動子７の超音波振動を与えることができ、これにより挟み部材２ｂの長手方向（ロ）に間隔を介して設けた両ガイド凸部１６間に毛髪束Ｈを通過させ、両ガイド凸部１６により毛髪束Ｈの長さ方向に沿って超音波毛髪処理装置１がスムーズに移動するようにガイドでき、特にこの場合、ガイド凸部１６により毛髪束Ｈが振動子７の振動面７ａ（即ち超音波振動が作用する領域）から外側に外れることを防止できる。
【００３８】
なお本例では挟み部材２ａの対向面４ａにガイド凸部１６を設け、挟み部材２ｂの対向面４ｂに嵌め込み凹部１７を設けたが、挟み部材２ｂの対向面４ｂにガイド凸部１６を設け、挟み部材２ａの対向面４ａに嵌め込み凹部１７を設けても良い。またガイド凸部１６及び嵌め込み凹部１７は振動体のヘッド８や受け部６に設けても良い。
【００３９】
また上記いずれの実施例にあっても振動部５に矩形板状の振動子７を厚み方向（ハ）に複数枚重ねて設けることが好ましい。図１０の例では、振動部５を、厚み方向（ハ）に重ね合わせた２枚の振動子７と、振動子７の振動面７ａに片面が接触するように設けた板状のヘッド８とで構成し、各振動子７とヘッド８をボルト１８で締結している。このように振動部５に矩形板状の振動子７を厚み方向（ハ）に複数枚重ねて設けることで、発生する超音波出力の上限を上昇でき、またこの場合、振動子７の枚数によって超音波出力の上限を調節できる。
【図面の簡単な説明】
【００４０】
【図１】本発明の実施の形態の一例を示し、図は超音波毛髪処理装置の側面視概略図である。
【図２】同上の挟み部材により毛髪束を挟み込む直前の状態を示す斜視図である。
【図３】同上の挟み部材により毛髪束を挟み込んだ状態を示す説明図である。
【図４】同上の振動子を示すもので、（ａ）は振動子の振動方向を示す説明図であり、（ｂ）は振動子の格子点状の共振点を示す説明図である。
【図５】他例の超音波毛髪処理装置を示し、図は挟み部材を厚み方向で見た説明図である。
【図６】更に他例の超音波毛髪処理装置を示し、図は超音波毛髪処理装置を挟み部材の長手方向で見た説明図である。
【図７】同上の駆動回路の出力を示すタイムチャートである。
【図８】更に他例の超音波毛髪処理装置を示し、（ａ）は受け部側の挟み部材を厚み方向で見た説明図であり、（ｂ）は受け部側の挟み部材を長手方向で見た説明図である。
【図９】（ａ）は振動部側の挟み部材を厚み方向で見た説明図であり、（ｂ）は振動部側の挟み部材を長手方向で見た説明図である。
【図１０】更に他例の超音波毛髪処理装置の振動部を示す説明図である。
【符号の説明】
【００４１】
Ａ  共振点
Ｈ  毛髪束
ロ  挟み部材の長手方向
ハ  振動子の厚み方向
１  超音波毛髪処理装置
５  振動部
６  受け部
７  振動子
７ａ  振動面
７ｂ  一辺
【図１】
2006334110.tif 000003
【図２】
2006334110.tif 000004
【図３】
2006334110.tif 000005
【図４】
2006334110.tif 000006
【図５】
2006334110.tif 000007
【図６】
2006334110.tif 000008
【図７】
2006334110.tif 000009
【図８】
2006334110.tif 000010
【図９】
2006334110.tif 000011
【図１０】
2006334110.tif 000012